(57)【要約】      （修正有）【課題】エアコン室外機の吹き出し口の位置に関係なく使用でき、塗装剤の侵入を確実に防止でき、廃棄処理も容易なエアコン室外機の養生カバーを提供する。【解決手段】エアコン室外機１の底面を除く前後左右の側面と天井面を覆うことができるように、不織布によって養生カバー２を略直方体形の袋状に形成する。室外機１の天井面を覆う部分の不織布に、ポリエチレンやポリプロピレンなどの撥水性樹脂の塗工領域を形成する。養生カバー２を室外機１に被せて裾の紐３を絞って結ぶことにより室外機１に対する装着を完了する。【選択図】図１
0003165835.tif 000002
【実用新案登録請求の範囲】
【請求項１】
エアコン室外機の底面を除く前後左右の側面と天井面を覆うことができるように、不織布によって略直方体形の袋状に形成したエアコン室外機養生カバー。
【請求項２】
エアコン室外機の天井面を覆う部分の不織布にポリエチレンやポリプロピレンなどの撥水性樹脂を塗工したことを特徴とする請求項１のエアコン室外機養生カバー。
【請求項３】
エアコン室外機の天井面を覆う部分の不織布に注意書き表示を付したことを特徴とするエアコン室外機養生カバー。
【請求項４】
請求項３の注意書き表示を請求項２の撥水性樹脂の塗工層に形成したことを特徴とするエアコン室外機養生カバー。
【請求項５】
カバーの下部開口縁に沿って裾絞り用の紐を設けたことを特徴とする請求項１のエアコン室外機養生カバー。
【考案の詳細な説明】
【技術分野】
【０００１】
本考案は、不織布製のエアコン室外機養生カバーに関する。
【背景技術】
【０００２】
既存の戸建て住宅や集合住宅の外壁塗装工事では、工事中に飛散する塗装剤がエアコン室外機に付着して汚れないように、塗装工事を始める前にエアコン室外機にあらかじめビニールシートを被せて養生している。このビニールシートは、ロール状に巻いたものから必要長さを切り取り、粘着テープなどを使用してエアコン室外機に装着する。エアコン室外機は通常の住宅でも３〜４台あるのが普通なので、室外機ごとにビニールシートを被せて粘着テープで留める養生作業は結構手間がかかって大変である。また、塗装工事が終わると室外機からビニールシートを取り外さなければならないから、この取り外し作業も結構手間がかかる。さらに、取り外した後のビニールシートは結構嵩張るから運搬および廃棄にも手間がかかる。
【０００３】
そこで、エアコン室外機の養生専用カバーが特許文献１（図１）によって提案されている。この養生専用カバーはビニール製であって、繰り返し使用することが可能なものとされている。養生中はエアコンを使用しないのが原則であるが、間違ってエアコンのスイッチを入れてしまうこともある。そこで、カバーの前面にはエアコン室外機の吹き出し口を塞がないようにメッシュ部が形成されている。このようなメッシュ部があれば、間違ってエアコンのスイッチを入れてもそれによりエアコンが故障するようなことはない。以上のような養生専用カバーであれば、ビニールシートからいちいち必要長さを切り出して粘着テープで留める手間がかからないから、養生作業が捗って便利である。
【先行技術文献】
【特許文献】
【０００４】
【特許文献１】特開２００４−１００９８８号公報
【考案の概要】
【考案が解決しようとする課題】
【０００５】
しかしながら、特許文献１の養生専用カバーはメッシュ部の位置が決まっているので、室外機の種類によっては吹き出し口の一部または全部がカバーで塞がれてしまう場合がある。吹き出し口の位置や大きさが異なる機種ごとに仕様の異なる養生専用カバーを用意するとコストがかかる上にカバーの種類の選択など取り付けの手間がかかる。また、カバー全体がビニール製であるため比較的重量が重く、メッシュ部を形成するために結構加工コストもかかる。さらに、メッシュ部付近まで垂れたり飛散してきたりした塗装剤がメッシュ部からカバー内部に侵入してエアコン室外機を汚損する可能性もある。また、ビニール製であるため焼却処理する場合は有害ガスが発生するおそれがあるから廃棄コストもかかる。
【０００６】
そこで本考案は、エアコン室外機の吹き出し口の位置に関係なく使用でき、重量が軽く、通気用のメッシュ部を別途形成する必要がなくて低コストであり、塗装剤の侵入を確実に防止でき、廃棄処理も容易なエアコン室外機の養生カバーを提供することを目的とする。
【課題を解決するための手段】
【０００７】
請求項１の考案に係る養生カバーは、エアコン室外機の底面を除く前後左右の側面と天井面を覆うことができるように不織布によって略直方体形の袋状に形成したことを特徴とする。
【０００８】
養生カバーを不織布で形成することにより、エアコン室外機の吹き出し口の位置に関係なくカバーを使用することができるようになる。また、不織布は通気性があるから、吹き出し口を塞がないためのメッシュ部を形成する必要がないので、養生カバーを低コストに製造することができる。また、メッシュ部がないので、塗装剤が垂れたり飛散したりしてもカバー内に侵入するのを防止することができる。また、不織布は軽量なので養生カバーの運搬や室外機に対する脱着が容易になる。
【０００９】
請求項２の考案に係る養生カバーは、エアコン室外機の天井面を覆う部分の不織布にポリエチレンやポリプロピレンなどの撥水性樹脂を塗工したことを特徴とする。
【００１０】
天井面を覆う部分の不織布にポリエチレンやポリプロピレンなどの撥水性樹脂を塗工することにより、塗装剤が不織布に浸透するのを防止することができる。
【００１１】
請求項３の考案に係る養生カバーは、エアコン室外機の天井面を覆う部分の不織布に注意書き表示を付したことを特徴とする。
【００１２】
エアコン室外機に養生カバーを被せると中が見えなくなるので、塗装工事の最中にうっかり室外機の上に足を乗せてしまうことがある。このような不注意を防止するために従来は養生シートの上に注意書きを書いた紙片をいちいち貼り付けたりしていたが、これでは手間がかかるうえに見栄えもよくない。そこで、養生カバーの上面にあらかじめ注意書き表示を付しておくと体裁がよくて便利である。
【００１３】
請求項４の考案に係る養生カバーは、請求項３の注意書き表示を請求項２の撥水性樹脂の塗工層に形成したことを特徴とする。
【００１４】
撥水性樹脂を塗工する際に注意書き表示を同時に形成するようにすれば、その表示が消えにくいという効果が得られる。
【００１５】
請求項５の考案に係る養生カバーは、カバーの下部開口縁に沿って裾絞り用の紐を設けたことを特徴とする。
【００１６】
裾絞り用の紐を設けることにより、室外機の外形の大小に関わりなく養生カバーの取り付けが確実になる。
【考案の効果】
【００１７】
本考案に係るエアコン室外機の養生カバーは前述のように不織布製であるので、エアコン室外機の吹き出し口の位置に関係なく使用することができ、また、不織布製でメッシュ部を形成する必要もないから軽量低コストであり、しかも塗装剤が垂れたり飛散したりしてもカバー内部に侵入するのを確実に防止することができ、焼却処理をしても無害で環境に優しいという効果がある。また、室外機の天井面を覆う部分に撥水性樹脂を塗工することにより、塗装剤が不織布に浸透するのをより確実に防止することができるという効果がある。
【図面の簡単な説明】
【００１８】
【図１】エアコン室外機に養生カバーを被せるときの状態を示す斜視図である。
【図２】養生カバーをエアコン室外機に被せた状態の斜視図である。
【図３】養生カバーを被せたエアコン室外機を上方から見たときの斜視図である。
【考案を実施するための形態】
【００１９】
以下、本考案に係るエアコン室外機の養生カバーの実施の形態を、図面を参照しながら説明する。図１は、エアコン室外機１に養生カバー２を被せるときの状態を示す斜視図である。エアコン室外機１は様々な機種があり、その吹き出し口１ａの位置も様々であるが、外形としては横長直方体形が一般的である。本考案に係る養生カバー２はこのような室外機１の一般的形状に適合するように横長直方体形であって室外機１よりもやや大きめの袋状に形成してある。カバー２の側面の一箇所に、カバー２の裾から上方に向けてカバー２の高さ方向半分程度まで延びた切り込み２ａが形成されていて、この切り込み２ａ部分を広げてカバー２を室外機１に被せやすくしている。カバー２の下部の開口に沿って形成した紐通り穴に裾絞り用の紐３を通し、この紐３の両端を切り込み２ａから外に引き出している。そして紐３を絞ることによって、室外機１がカバー２に比べてやや小さめの場合であっても、カバー２を室外機１に確実に装着することができる。なお、紐３に加えて切り込み２ａに沿って線ファスナや面ファスナを取り付けたり、あるいは紐３に代えて切り込み２ａの片側または両側に面ファスナベルトを取り付けたりしてもよい。
【００２０】
カバー２の素材は不織布であって、この不織布は通気性があるので室外機１の吹き出し口１ａの位置に関係なく使用できるという利点がある。カバー２に使用する不織布は通気性の他に撥水性、不燃性、自然分解性を有するものを使用することができる。自然分解性は、例えば室外で最大寿命が９０日間のものがあり、そのような不織布を使用することで環境汚染防止に貢献することができる。撥水性は、例えばポリエチレン膜やポリプロピレン膜を塗工したものがあり、そのような不織布を使用することで塗装剤が浸透するのを確実に防止することができる。
【００２１】
不織布の重量は例えば３６ｇ／ｍ2のものがあり、非常に軽い。また不織布の強度は、例えば断裂強度が縦方向４０Ｎ／５０ｍｍ、横方向２８Ｎ／５０ｍｍのものがあり、断裂伸び率（％）も例えば縦方向３０％、横方向３０％のものがあるので、非常に破れにくい。このように、不織布は軽量であるうえに強度が強いという特徴があるので、養生カバー２の運搬および室外機１に対する脱着が容易であり、養生期間中の風雨にもよく耐えるという利点がある。
【００２２】
カバー２の上面に、必要に応じて図３のように注意書き表示４を付してもよい。この注意書き表示４は、不織布に直接印刷したり転写したりすることで形成してもよいが、ポリエチレンやポリプロピレンなどの撥水性樹脂の塗工と同時に形成するようにしてもよい。注意書き表示４を直接不織布に印刷や転写すると定着性と耐久性が不足する場合があるが、撥水性樹脂の塗工と同時に形成すれば十分な定着性と耐久性が得られる。図３の薄墨を付した部分はこのような撥水性樹脂の塗工領域５であって、このようにカバーの上面および上面から少し下がった側面部分まで撥水性樹脂を塗工しておくことにより、図２のように塗装ガン６の塗装剤７が滴下してカバー２上面に付着しても、カバー２の内側へ塗装剤７が浸透するのを確実に防止することができる。なお、撥水性樹脂の塗工領域５をカバー２の前面を除く他の部分まで拡大してもよいことは勿論である。
【００２３】
エアコン室外機１の養生カバー２は以上のように構成され、図１のようにカバー２を室外機１に被せ、図２のように紐３を絞って結ぶだけで養生作業が完了する。塗装工事中に塗装剤が垂れたり飛散したりしてカバー２にかかったとしても、カバー２は天井面と側面にまったく穴がないので、塗装剤がカバーの内側に侵入することがない。特に天井面に前述のように撥水性樹脂の塗工領域５を形成しておくと、大量の塗装剤が天井面に液溜まりのように付着したとしてもカバー２の内側まで浸透するのを確実に防止することができる。塗装工事が終わってカバー２を取り外すときは、紐３を解いてカバー２を上方に引き上げるだけでよく、その際もカバー２が非常に軽量であるから簡単に取り外すことができる。
【００２４】
以上のように、本考案に係るエアコン室外機養生カバー２は不織布製であるから、エアコン室外機の吹き出し口の位置に関係なく使用することができると共に、塗装剤が垂れたり飛散したりしてもカバー内部に侵入するのを確実に防止することができ、軽量低コストのうえに自然分解性があるので使い捨てにしても環境への負荷が極めて小さいという利点がある。また、エアコン室外機の吹き出し口に当たる前面以外に樹脂を含浸させたりラミネート処理をしたりすることにより耐久性を向上させることが可能であり、数回使用してから廃棄するような使用法も可能である。
【符号の説明】
【００２５】
１  エアコン室外機
２  養生カバー
３  紐
４  注意書き表示
５  撥水性樹脂の塗工領域
【図１】
0003165835.tif 000003
【図２】
0003165835.tif 000004
【図３】
0003165835.tif 000005
【手続補正書】
【提出日】平成22年11月5日(2010.11.5)
【手続補正１】
【補正対象書類名】実用新案登録請求の範囲
【補正対象項目名】全文
【補正方法】変更
【補正の内容】
【実用新案登録請求の範囲】
【請求項１】
エアコン室外機の底面を除く前後左右の側面と天井面を覆うことができるように、不織布によって略直方体形の袋状に形成したエアコン室外機養生カバー。
【請求項２】
エアコン室外機の天井面を覆う部分の不織布にポリエチレンやポリプロピレンなどの撥水性樹脂を塗工したことを特徴とする請求項１のエアコン室外機養生カバー。
【請求項３】
エアコン室外機の天井面を覆う部分の不織布に注意書き表示を付したことを特徴とする請求項１又は２のエアコン室外機養生カバー。
【請求項４】
請求項３の注意書き表示を請求項２の撥水性樹脂の塗工層に形成したことを特徴とする請求項３のエアコン室外機養生カバー。
【請求項５】
カバーの下部開口縁に沿って裾絞り用の紐を設けたことを特徴とする請求項１のエアコン室外機養生カバー。
【手続補正書】
【提出日】平成22年11月29日(2010.11.29)
【手続補正１】
【補正対象書類名】実用新案登録請求の範囲
【補正対象項目名】全文
【補正方法】変更
【補正の内容】
【実用新案登録請求の範囲】
【請求項１】
エアコン室外機の底面を除く前後左右の側面と天井面を覆うことができるように、不織布によって略直方体形の袋状に形成したエアコン室外機養生カバー。
【請求項２】
エアコン室外機の天井面を覆う部分の不織布にポリエチレンやポリプロピレンなどの撥水性樹脂を塗工したことを特徴とする請求項１のエアコン室外機養生カバー。
【請求項３】
エアコン室外機の天井面を覆う部分の不織布に注意書き表示を付したことを特徴とする請求項１又は２のエアコン室外機養生カバー。
【請求項４】
前記注意書き表示を前記撥水性樹脂の塗工層に形成したことを特徴とする請求項３のエアコン室外機養生カバー。
【請求項５】
カバーの下部開口縁に沿って裾絞り用の紐を設けたことを特徴とする請求項１のエアコン室外機養生カバー。